(57)【要約】【課題】  外出コースプラン設定を効率的に行え、更に安心して外出コースプランで外出できるようにした外出コースプラン提供予約方法を提供する。【解決手段】  ＩＣカードと、ＩＣカードリーダライタを備えた端末と、インターネットを介して端末と通信可能に接続されたサーバとにより、インターネット上のサイトを利用して、会員に外出コースプランの提供と利用施設の予約を行えるようにした方法であって、前記端末から前記サイトに対して、前記会員が希望する要望情報を送信するステップと、前記サイトにおいて、前記要望情報を満たす外出コースプランを設定するステップと、前記サイトから前記端末に対して、前記外出コースプランの情報を送信するステップと、前記会員が外出コースプランを採用すると決めた場合に、ＩＣカードに記憶されている会員情報を前記端末から前記サイトに送信して利用施設の予約を行うステップとを有する。【選択図】        図2
2007072751.tif 000002
【特許請求の範囲】
【請求項１】
会員に発行されたＩＣカードと、ＩＣカードリーダライタを備えた端末と、インターネットを介して前記端末と通信可能に接続されたサーバとにより、インターネット上のサイトを利用して、会員に外出コースプランの提供と利用施設の予約を行えるようにした外出コースプラン提供予約方法であって、
前記端末から前記サイトに対して、前記会員が希望する要望情報を送信するステップと、
前記サイトにおいて、前記要望情報を満たす外出コースプランを設定するステップと、
前記サイトから前記端末に対して、前記外出コースプランの情報を送信するステップと、
前記会員が前記外出コースプランを採用すると決めた場合に、前記ＩＣカードに記憶されている会員情報を前記端末から前記サイトに送信して、利用施設の予約を行うステップと、
を有することを特徴とする外出コースプラン提供予約方法。
【請求項２】
前記利用施設の予約を行う場合に、前記ＩＣカードに記憶されている会員情報を前記端末から前記サイトに送信して、予約した利用施設の利用代金の決済処理を行うステップを有することを特徴とする請求項１記載の外出コースプラン提供予約方法。
【発明の詳細な説明】
【技術分野】
【０００１】
本発明は、会員に発行されたＩＣカードと、ＩＣカードリーダライタを備えた端末と、インターネットを介して前記端末と通信可能に接続されたサーバとにより、インターネット上のサイトを利用して、会員に外出コースプランの提供と利用施設の予約を行えるようにした外出コースプラン提供予約方法に関する。
【背景技術】
【０００２】
従来、家族や友達や恋人同士などで行楽で外出する場合に、予め外出先全般のコース、利用施設、レストランなどの食事場所などの予定を決めてから外出する場合が多い。
しかしながら、外出の予定日が決まったとしても、行楽先での具体的なコースや利用施設などを計画するのは情報量も多いことから面倒なことでもある。
【０００３】
このようなことから、外出前に情報誌を見て参考にしたり、インターネット上のサイトから行楽地などの情報収集するなどして、新しい外出先のコースを探したり、同行する相手が喜ぶと予想される施設やレストランなどを見つけ、常に斬新な外出コースのプランを考えるようにすることも多い。
また既に、外出予定先の要望をインターネットのホームページ上に登録することによって、外出予定先のコースプラン設定を行えるようにした自動検索コース設定システムも公知となっている。（例えば、特許文献１参照）
【特許文献１】特開２００３−３０１５５号公報
【０００４】
しかしながら、一般に公開されている沢山の情報の中から自分達の希望に合う施設やレストランなどを見つけ、外出コースを具体的に考え計画するのは時間もかかり面倒でもある。
たとえ希望に合う施設やレストランなどが見つかったとしても、その外出コースに基づいて外出したところ、当日にそれらの施設やレストランが、たまたま満員状態となっていて長時間も待たされてしまうこともあり、必ずしもその日に予定していた外出コース通りに実行できないという場合もある。
したがって、予め外出コースの予定を立てたとしても、必ずしもその設定した外出コース通りに実行できるものではないことから、安心して外出に出かけられないという問題もある。
【発明の開示】
【発明が解決しようとする課題】
【０００５】
本発明は、外出する前に、短時間で会員の要望を満たす外出コースプランを設定して提供してもらうことができると共に、それらの外出コースプランで利用する施設の予約を予め行えるようにすることで、面倒な外出コースプランの設定を効率的に行うことができ、更に設定された外出コースプランに基づいて安心して外出できるようにした外出コースプラン提供予約方法を提供する。
【課題を解決するための手段】
【０００６】
本発明の外出コースプラン提供予約方法は、会員に発行されたＩＣカードと、ＩＣカードリーダライタを備えた端末と、インターネットを介して前記端末と通信可能に接続されたサーバとにより、インターネット上のサイトを利用して、会員に外出コースプランの提供と利用施設の予約を行えるようにしたＩＣカードを利用した外出コースプラン提供予約方法であって、前記端末から前記サイトに対して、前記会員が希望する要望情報を送信するステップと、前記サイトにおいて、前記要望情報を満たす外出コースプランを設定するステップと、前記サイトから前記端末に対して、前記外出コースプランの情報を送信するステップと、前記会員が前記外出コースプランを採用すると決めた場合に、前記ＩＣカードに記憶されている会員情報を前記端末から前記サイトに送信して、利用施設の予約を行うステップと、を有することを特徴とする。
【０００７】
本発明の外出コースプラン提供予約方法は、前記利用施設の予約を行う場合に、前記ＩＣカードに記憶されている会員情報を前記端末から前記サイトに送信して、予約した利用施設の利用代金の決済処理を行うステップを有することを特徴とする。
【発明の効果】
【０００８】
本発明の外出コースプラン提供予約方法は、会員が希望する要望情報を満たす外出コースプランを設定し、会員がその外出コースプランを採用すると決めた場合に、外出する前に利用施設の予約を行うことができるので、短時間で効率的に外出コースプランを決めることができると共に、利用する施設の予約により、その設定された外出コースプランに基づいて安心して外出することができるという効果がある。
【０００９】
また、本発明の外出コースプラン提供予約方法は、設定された外出コースプランに基づく利用施設への代金支払い処理を、外出する前に行うことができるので、外出先で所持金が足りなくなる心配もなく、その設定された外出コースプランに基づいて安心して外出することができるという効果がある。
【発明を実施するための最良の形態】
【００１０】
以下、本発明の実施形態に係る外出コースプラン提供予約方法を、図面に基づいて詳細に説明する。
図１は、本発明の実施形態に係る外出コースプラン提供予約方法に用いるシステム構成の概要を示す図、図２は、本発明の実施形態に係る外出コースプラン提供予約方法の処理手順を説明する図である。
【００１１】
まず、本発明の実施形態に係る外出コースプラン提供予約方法に用いるシステムについて、図１に基づいて説明する。
本発明の実施形態に係る外出コースプラン提供予約方法に用いるシステムは、予め個人情報がデータベースに登録された会員に対し発行されたＩＣカード１と、ＩＣカードリーダライタ２を備えた端末３と、インターネット４を介して前記端末３と通信可能に接続されたサーバ５とにより構成されている。
そして、会員は、端末３を使用してインターネット４上のサイトを利用して、外出コースプラン提供予約サービスを受けられるようにしてある。
【００１２】
会員に対し発行されるＩＣカード１には、発行時に予め会員番号などの識別情報が登録されており、この識別情報に基づいて会員を特定して、利用施設の予約処理や、代金の支払い決算処理などを行えるようにしてある。
会員は、ＩＣカードリーダライタ２でＩＣカード１に記憶された会員番号などの識別情報を読み取り、端末３からサーバ５にそれらの識別情報を送信できるようにしてある。
また、サーバ５から端末３に送信された予約決済証明書情報などを、ＩＣカードリーダライタ２からＩＣカード１の記憶手段に書き込むこともできるようにしてある。
【００１３】
次に、図２に基づき、会員６が、端末３を使用してインターネット４上のサイト７を利用して、外出コースプラン提供予約サービスを受ける場合の処理手順を説明する。
まず、外出コースプラン提供予約サービスを受けるためには、その利用者は会員になるための手続きを行なう必要がある。
利用者が会員になる手続きとしては、端末３からサイト７に対して会員登録申込みに必要な個人情報などの情報を送信する。（ステップＳ１）
【００１４】
サイト７は、受信した会員登録申込情報をデータベース８に登録する。（ステップＳ２）
そして、会員登録申込者に対して、会員カードとしてＩＣカード１の発行を行う。（ステップＳ３）
尚、ＩＣカード１の発行は、郵送や手渡しなど種々の方法により行う。
会員に発行されるＩＣカード１には、会員番号などの識別情報が登録されており、識別情報を用いて施設の予約や決済処理が行われる。
以上の処理により、利用者が会員としてＩＣカード１を用いて、いつでも外出コースプラン提供予約サービスを受けられることになる。
【００１５】
そして、会員６が、外出コースプラン提供予約サービスを受ける際には、外出コースプラン提供予約サービスを提供するサイトにアクセスを行う。（ステップＳ４）
次に、会員６が外出する際に希望する要望事項を要望情報として端末３に入力してサイトに送信する。（ステップＳ５）
これらの要望情報としては、例えば、外出予定日、地域や場所、移動の手段、宿泊の有無、予算金額などがある。
次に、サイトにおいて、会員から受信した要望情報を満たす外出コースプランを検索し設定する。（ステップＳ６）
これらの外出コースプランは、会員から受信した要望情報を満たすことを条件に複数のプランを設定するようにしてもよい。
そして、検索し設定された結果の外出コースプランを、サイト７から会員６の端末３に送信する。（ステップＳ７）
【００１６】
会員６は、自分が気に入る外出コースプランが出るまで、必要に応じて何回でも、要望情報のサイトへの送信と、検索し設定された結果の外出コースプランの受信とを繰り返すことができる。
そして、自分が気に入った外出コースプランが見つかった場合には、その外出コースプランで利用することになる利用施設の予約情報を端末３からサイト７に送信して申し込む。（ステップＳ８）
更に、予め代金の支払い処理を行う場合には、端末３からサイト７に決済に必要な情報を送信して決済処理を行う。（ステップＳ９）
利用施設の予約情報を端末３からサイト７に送信して予約の申し込みや代金支払い決済処理を行う場合には、ＩＣカード１に予め登録されている識別情報をサイト７に送信して予約及び決済を行う。
サイト７においては、これらの予約及び決済に関する情報をデータベースに登録する。（ステップＳ１０）
【００１７】
そして、サイト７から会員６の端末３に対して、予約決済証明書情報が送信される。（ステップＳ１１）
この予約決済証明書情報を会員が用紙にプリントすることで、チケットとして目的の利用施設で使用することもできる。
また、利用施設にＩＣカードリーダライタが備えられている場合には、予約決済証明書情報を会員が用紙にプリントすることなく、ＩＣカード１に予約決済証明書情報を書き込むことで、利用施設のＩＣカードリーダライタでＩＣカード１からその情報を読み取ることで利用施設の利用かできるようにすることもできる。
更に、会員サービスとして、サイト７から会員６の端末３に対して、サービスポイント情報が送信される。（ステップＳ１２）
会員６に提供されたサービスポイント情報は、データベースに登録される。
また、会員６は、サイト内コミュニティに情報提供を行ったり、情報の授受を送られるようにしてあり、会員同士の間での情報交換などが行えるようにしてある。
【００１８】
以上のように、外出コースプラン提供予約方法は、会員の要望に基づいて、その要望を満たすことができる外出コースプランを自動的に設定し、また、その外出コースプランで利用する施設の予約や代金決済などを外出する前の段階に行えるので、安心して外出に出かけることができる。
したがって、本発明の外出コースプラン提供予約方法は、家族、友達同士、恋人同士、種々の関係のグループなどで外出したり旅行したりする場合など広範囲に利用することができるものである。
そして、予め外出先の利用施などの予約や代金支払い決済などを行うことができるので、安心して出かけることができるものである。
【図面の簡単な説明】
【００１９】
【図１】本発明の実施形態に係る外出コースプラン提供予約方法に用いるシステム構成の概要を示す図である。
【図２】本発明の実施形態に係る外出コースプラン提供予約方法の処理手順を説明する図である。
【符号の説明】
【００２０】
１  ＩＣカード
２  ＩＣカードリーダライタ
３  端末
４  インターネット
５  サーバ
６  会員
７  サイト
８  データベース
【図１】
2007072751.tif 000003
【図２】
2007072751.tif 000004